(57)【要約】【課題】液剤に含まれている異物を濾過し、体内への異物の進入を抑え、より安全に点滴が行える点滴装置を提供する。【解決手段】この点滴装置１は、前記フィルタ３が多孔質炭素成形体とからなり、前記多孔質炭素成形体は、互いに連結される複数の多孔質炭素体を有し、かつ多孔質炭素体間にはマクロ孔を有し、多孔質炭素体表面にはミクロ孔が形成されていることを特徴としている。前記多孔質炭素成形体は、複数の多孔質炭素体と、前記複数の多孔質炭素体を互いに連結する結合炭素体を有していることが望ましい。【選択図】図１
2018015384.tif 000002
【特許請求の範囲】
【請求項１】
フィルタが設けられた点滴装置において、
前記フィルタが多孔質炭素成形体とからなり、前記多孔質炭素成形体は、互いに連結される複数の多孔質炭素体を有し、かつ多孔質炭素体間にはマクロ孔を有し、多孔質炭素体表面にはミクロ孔が形成されていることを特徴とする点滴装置。
【請求項２】
前記多孔質炭素成形体は、複数の多孔質炭素体と、前記複数の多孔質炭素体を互いに連結する結合炭素体を有していることを請求項１記載の特徴とする点滴装置。
【請求項３】
前記多孔質炭素成形体は、複数の球形の多孔質炭素体は互いに点接合しており、かつその点接合している箇所の周囲において、前記結合炭素体が複数の球形の多孔質炭素体を互いに連結していることを特徴とする請求項２記載の点滴装置。
【請求項４】
軟質の合成樹脂材料で形成された点滴筒と、球形状の前記多孔質炭素成形体とを備え、
前記多孔質炭素成形体が前記点滴筒の内底部に収容されていることを特徴とする請求項１または請求項２記載の点滴装置。
【請求項５】
点滴筒の上部にフィルタ室が一体に設けられ、前記多孔質炭素成形体が前記フィルタ室内部に収容されていることを特徴とする請求項４記載の点滴装置。
【請求項６】
前記フィルタ室が液剤の流れる方向に沿って複数重ねられ、各フィルタ室に多孔質炭素成形体が収容さていることを特徴とする請求項５に記載の点滴装置。
【請求項７】
点滴筒と、
前記点滴筒の上方に点滴筒と別体に設けられた、フィルタが収容されたフィルタ部と、前記点滴筒と前記フィルタ部とを接続する中継チューブと、
を備えることを特徴とする請求項４に記載の点滴装置。
【請求項８】
前記フィルタ部が液剤の流れる方向に沿って複数重ねられ、各フィルタ部に多孔質炭素成形体が収容されていることを特徴とする請求項７に記載の点滴装置。
【発明の詳細な説明】
【技術分野】
【０００１】
この発明は点滴装置に関し、特に、血液や薬剤等（以下、液剤という）の中の異物を除去するためのフィルタを備えた点滴装置に関する。
【背景技術】
【０００２】
従来から、輸血や薬剤の投与が点滴により行われている。この点滴に用いられる点滴装置は、一般的に、点滴筒（チャンバともいう）と、液剤等の流量や流速をコントロールするクランプ（クレンメともいう）と、体内に液剤等を注入する留置針を備えている。
そして、液剤を収容したバッグやボトル（以下、液剤バッグという）からチューブを介して、液剤を点滴筒内に滴下させ、クランプによって流量を制御し、前記留置針から液剤を体内に投与する。
ところで、点滴の際、異物が点滴筒内に混入する虞がある。前記異物は、例えば、製造過程で混入したプラスチックス小片、点滴筒に使用された固化した接着剤等に由来するもので、これら異物の体内への進入を阻止する必要がある。
そのため、特許文献１、２では、点滴筒内にフィルタを設け、異物の体内への進入を阻止する点滴装置が提案されている。
【先行技術文献】
【特許文献】
【０００３】
【特許文献１】特開平４−４４７７１号公報
【特許文献２】特開平２−４０３６４号公報
【発明の概要】
【発明が解決しようとする課題】
【０００４】
しかしながら、特許文献１、２に示されたフィルタでは、例えば、添加されたジメチルスルホキシド（Dimethyl sulfoxide、以下、ＤＭＳＯ）のような液剤を濾過することができないという技術的課題があった。
このジメチルスルホキシド（Dimethyl sulfoxide、以下、ＤＭＳＯ）は、細胞を凍結保存する際に細胞の保護のために、液剤に添加されるものである。このジメチルスルホキシド自体の毒性は低いが、他の物質が混入している場合、他の物質の皮膚への浸透が促進されるという性質を有している。
そのため、ＤＭＳＯが添加された液剤を体内に点滴する際は、前記ＤＭＳＯが体内に大量に入らないように、前記ＤＭＳＯを濾過（除去）する必要がある。
【０００５】
本発明は、上記した技術的課題を解決するためになされたものであり、液剤に含まれている異物を濾過し、体内への異物の進入を抑え、より安全に点滴が行える点滴装置を提供することを目的とする。
【課題を解決するための手段】
【０００６】
前記した課題を解決するためになされた本発明にかかる点滴装置は、フィルタが設けられた点滴装置において、前記フィルタが多孔質炭素成形体とからなり、前記多孔質炭素成形体は、互いに連結される複数の多孔質炭素体を有し、かつ多孔質炭素体間にはマクロ孔を有し、多孔質炭素体表面にはミクロ孔が形成されていることを特徴としている。
このように構成されたフィルタにあっては、多孔質炭素体間にマクロ孔を有することでマクロ孔内に血液を流通させ、多孔質多孔体表面にはミクロ孔を形成させることでミクロ孔にＤＭＳＯ等の溶剤を吸着させ、液剤に含まれる異物（例えば、ＤＭＳＯ）を吸着するため、体内への異物の進入を抑制でき、より安全に点滴を行うことができる。なお、マクロ孔は直径５０ｎｍより大きい、ミクロ孔は直径２ｎｍ未満を示し、その測定方法は拡大スケールによる観察等により確認される。
【０００７】
ここで、前記多孔質炭素成形体は、複数の多孔質炭素体と、前記複数の多孔質炭素体を互いに連結する結合炭素体を有していることが望ましく、また複数の球形多孔質炭素体は互いに点接合しており、かつその点接合している箇所の周囲において、前記結合炭素体が複数の球形多孔質炭素体を互いに連結していることが望ましい。
この点滴装置によれば、多孔質炭素成形体が液剤に含まれる異物（例えば、ＤＭＳＯ）を吸着するため、体内への異物の進入を抑制でき、より安全に点滴を行うことができる。
【０００８】
また、軟質の合成樹脂材料で形成された点滴筒と、球形状の前記多孔質炭素成形体とを備え、前記多孔質炭素成形体が前記点滴筒の内底部に収容されていることが望ましい。
このように、前記点滴筒が軟質の合成樹脂材料で構成され、かつ球形状の多孔質炭素成形体が点滴筒の内底部に収容されている場合には、点滴筒の一部を押圧して凹ませた後、押圧を開放して点滴筒の外形が復元する力によって、点滴筒内への空気置換が行われ、点滴室内の液量の制御をすることができる。
そのため、点滴筒内の液は点滴筒の下方側に重力の作用により向かうので、その際に点滴筒を押圧によって下方側に接続された装置側に液を供給することができることにより点滴筒内の液量の調節が可能となる。
【０００９】
また、点滴筒の上部にフィルタ室が一体に設けられ、前記多孔質炭素成形体が前記フィルタ室内部に収容されていることが望ましい。
このように、点滴筒の上部にフィルタ室が設けられている場合には、点滴筒とフィルタ室が一体であるため、他機材のある病室内は省スペースが求められることから、装置の設置を容易にすることができると共に、点滴筒とフィルタ室との間の配管の接続作業を不要とすることができるので、点滴作業性を向上させることができる。
【００１０】
また、前記フィルタ室が液剤の流れる方向に沿って複数重ねられ、各フィルタ室に多孔質炭素成形体が収容さていることが望ましい。
このように、フィルタ室が複数重ねられている場合には、液剤の濾過が複数の多孔質炭素成形体でなされるため、より良好な濾過を行うことができる。
【００１１】
また、点滴筒と、前記点滴筒の上方に点滴筒と別体に設けられた、フィルタが収容されたフィルタ部と、前記点滴筒と前記フィルタ部とを接続する中継チューブとを備えることが望ましい。
この点滴装置によれば、フィルタ部と点滴筒が別体として形成されているため、フィルタ部の必要に応じて装着することができる。即ち、点滴経路が複数ある場合には、フィルタ部を選択的に設ける（必要な点滴経路のみにフィルタ部を配置する）ことが可能となる。
【００１２】
また、前記フィルタ部が液剤の流れる方向に沿って複数重ねられ、各フィルタ部に多孔質炭素成形体が収容されていることが望ましい。
このように、フィルタ部が複数重ねられている場合には、液剤の濾過が複数の多孔質炭素成形体でなされるため、より良好な濾過を行うことができる。
【００１３】
また、前記多孔質炭素成形体は、比表面積８００ｍ２／ｇ以上、気孔率が１５％〜８５％であることが望ましい。なお比表面積は２００℃、６０分間の窒素吸着による前処理を行いマウンテック社製  全自動比表面積測定装置ＨＭ−ｍｏｄｅｌ−１２０８を用いたＢＥＴ測定法にて算出され、気孔率は｛１−（多孔質炭素成形体の密度÷炭素の比重１．６）｝により算出することができる。
このような多孔質炭素成形体を用いることにより、ＤＭＳＯをより吸着でき、濾過（除去）することができる。
尚、前記複数の多孔質炭素成形体を用いる場合には、より効率的に濾過を行うため、点滴筒により近い多孔質炭素成形体の比表面積及び気孔率が、点滴筒から離れた多孔質炭素成形体の比表面積及び気孔率よりも小さいことが望ましい。
【発明の効果】
【００１４】
本発明によれば、液剤に含まれている異物を濾過し、体内への異物の進入を抑制し、より安全に点滴を行える点滴装置を得ることができる。
【図面の簡単な説明】
【００１５】
【図１】図１は、本発明に係る点滴装置の第１の実施形態を示す図であり、（ａ）は、正面図、（ｂ）は断面図である。
【図２】図２は、図１（ｂ）の要部拡大図である。
【図３】図３の（ａ）〜（ｃ）は、本発明に係る第１の実施様態に用いられる多孔質炭素成形体の製造方法を示す図である。
【図４】図４の（ａ）〜（ｃ）は、多孔質炭素成形体（の製造方法）の変形例を示す図である。
【図５】図５は、図４の製造方法に係る多孔質炭素成形体のＳＥＭ画像である。
【図６】図６は、本発明に係る点滴装置の第２の実施形態を示す図であり、（ａ）は、正面図、（ｂ）は断面図である。
【図７】図７は、図６（ｂ）の要部拡大図である。
【図８】図８は、本発明に係る点滴装置の第３の実施形態を示す図であり、（ａ）は、正面図、（ｂ）は断面図である。
【図９】図９は、図８（ｂ）の要部拡大図である。
【図１０】図１０は、本発明に係る点滴装置の第４の実施形態を示す図であり、（ａ）は、正面図、（ｂ）は断面図である。
【図１１】図１１は、本発明に係る点滴装置の第５の実施形態を示す図であり、（ａ）は、正面図、（ｂ）は断面図である。
【発明を実施するための形態】
【００１６】
（第１の実施形態）
この発明に係る点滴装置の第１の実施形態について、図１乃至図５に基づいて説明する。
点滴装置は、一般的に、点滴筒（チャンバともいう）と、液剤等の流量や流速をコントロールするクランプ（クレンメともいう）と、体内に液剤等を注入する留置針とにより構成されている。尚、クランプ、留置針は、従来のクランプ、留置針と変わらないため、詳細な説明は省略する。
【００１７】
図１（ａ），（ｂ）および図２に示すように、この実施形態にかかる点滴装置１は、点滴筒２と、一端が液剤バッグ（図示せず）に連結され、他端が前記点滴筒２に連結されている上流側チューブ４が設けられている。
また、前記点滴筒２の下流側には、一端がクランプ（図示せず）と連結され、他端が点滴装置１の下端と連結されている下流側の下流側チューブ５とを備えている。
更に、この点滴装置１にあっては、前記点滴筒２の内部に、フィルタ３として多孔質炭素成形体が収容されている。
【００１８】
前記点滴筒２は、点滴筒本体２ａと、点滴筒本体２ａの上部を塞ぐ蓋体２ｂとを備えている。前記点滴筒本体２ａの形状は内径寸法が下流側に行くにつれて徐々に小さくなる略円筒状に形成されている。前記点滴筒本体２ａの下端には液剤流出口２ｃが形成されている。前記液剤流出口２ｃには、下流側チューブ５が連結されている。
尚、点滴筒本体２ａは、例えば、ＰＶＣ、ＥＶＡ、ＰＰ、ＰＥ、軟質ポリエステル樹脂、透明ポリウレタン樹脂、シリコーンゴム等の軟質な樹脂材料により形成されている。ここで挙げる軟質な樹脂材料とは縦弾性係数（ヤング率）が３００ＭＰａ以下の合成樹脂材料をいう。
【００１９】
また、前記蓋体２ｂは、上側に突出した円筒状の突出部（上側突起部）２ｂ１と、下側に突出した円筒状の突出部（下側突起部）２ｂ２を備えている。この突出部２ｂ１，２ｂ２の内部には、液剤が流下する流路２ｂ３が形成されている。
前記上側突出部２ｂ１の上端部には上流側チューブ４が連結されている。即ち、前記上側突出部２ｂ１の上端部に液剤流入口２ｂ４が形成され、下側突起部２ｂ２の下端部に点滴筒本体２ａ内に、液剤を導入する液剤導入口２ｂ５が形成されている。
【００２０】
また、前記点滴筒２の内底部には、フィルタ３としての球状の多孔質炭素成形体が配置されている。なお、この多孔質炭素成形体の詳細は後述する。
【００２１】
上記したように、上流側チューブ４と下流側チューブ５は、フィルタ３を収容した点滴筒２を介して連通している。
即ち、液剤の流下経路中に、フィルタ３（多孔質炭素成形体）を収容した点滴筒２が設けられているため、液剤は多孔質炭素成形体２ｂと接触し、濾過された後、下流側チューブ５に流れる。
前記多孔質炭素成形体は、後記するようにマクロ孔とミクロ孔を備えているため、例えば、製造過程で混入したプラスチックス小片、点滴筒に使用された固化した接着剤等の異物を除去できる。更に、前記多孔質炭素成形体は炭素質の多孔質体であり、前記したように、マクロ孔とミクロ孔を備えているため、液剤を十分に通しつつ、液剤に含まれるＤＭＳＯを吸着することができる。その結果、体内へのＤＭＳＯの進入を抑制することができ、点滴をより安全に行うことができる。
【００２２】
尚、前記点滴本体２ａは、軟質の合成樹脂材料で構成され、球状のフィルタ（多孔質炭素成形体）３が点滴本体２ａの内底部に配置されているため、点滴本体２ａの液量の調節をする際に、点滴筒本体２ａを押圧しても、フィルタ（多孔質炭素成形体）３が邪魔とならない。このため、点滴本体２ａ内部の液剤量の調整が容易に行うことができる。
また、前記点滴筒本体２ａが軟質の合成樹脂材料で構成され、多孔質炭素成形体が点滴筒の内底部に収容されている場合には、点滴筒の一部を押圧して凹ませた際、多孔質炭素成形体は邪魔にならない。しかも、押圧を開放して点滴筒の外形が復元する際に、点滴筒内への空気と点滴筒内の液体の置換が行われ、点滴室内の液量の制御をすることができる。
その結果、例えば点滴筒の下方側に装置が配置されている場合には、点滴筒内の液は点滴筒の下方側に重力の作用により向かうため、前記押圧による液体を点滴筒から装置側に供給することができ、点滴筒内の液量の調節が可能となる。
【００２３】
ここで、前記多孔質炭素成形体の詳細について説明する。
前記したように、多孔質炭素成形体はフィルタとして好適であり、特にＤＭＳＯを吸着することができる多孔質炭素成形体である。この多孔質炭素成形体について、以下、図３乃至図６基づいて説明する。
【００２４】
《多孔質炭素成形体》
多孔質炭素成形体は、複数の球形多孔質炭素体の間に隙間が形成され、この隙間を「マクロ孔」といい、また個々の球形多孔質炭素体内に気孔が形成され、この気孔を「ミクロ孔」という。具体的には、ミクロ孔を有する炭素骨格、及び炭素骨格間の互いに連通しているマクロ孔を有する。炭素骨格間の互いに連通しているマクロ孔を有することにより、炭素骨格が有するミクロ孔に外部の流体等が接触しやすくすることができる。
【００２５】
図３（ａ）〜（ｃ）及び図４（ａ）〜（ｃ）を参照して、本発明に用いられる多孔質炭素成形体について説明する。
【００２６】
図３（ａ）〜（ｃ）に示すように、第１の実施様態に用いられる多孔質炭素成形体１００は、例えば、複数の樹脂粒子１０を所望の形の型に入れ（図３（ａ））、これらの樹脂粒子を加熱によって焼結させて、粒子同士を互いに連結させ（図３（ｂ））、次いでこれを炭素化すること（図３（ｃ））によって得られ、複数の球形多孔質炭素体が焼結した箇所において互いに面接合している。
【００２７】
より好ましくは、図４に示す多孔質炭素成形体２００が良い。この多孔質炭素成形体２００では、複数の球形多孔質炭素体は互いに点接合しており、かつその点接合している箇所の周囲において、結合炭素体が複数の球形多孔質炭素体を互いに連結している。
このように、点接合することによって、球形多孔質炭素体はその球形の形状を維持しているので、樹脂粒子を焼結させる際に樹脂粒子が変形すること、及び均一な焼結が容易に行うことができ、複数の球形多孔質炭素体の間の隙間であるマクロ孔による連通孔の精度を高めることができる。
【００２８】
前記多孔質炭素成形体２００は、例えば、図４に示すように、複数の硬化樹脂粒子２０を所望の形の型に入れ（図４（ａ））、これらの硬化樹脂粒子をそれらの接点部分２２においてバインダー樹脂２５により互いに連結させて、硬化樹脂成形体を形成し（図４（ｂ））、そしてこの硬化樹脂成形体を炭素化させること（図４（ｃ））によって得られるものである。
なお、この炭素化によれば、硬化樹脂粒子２０が球形多孔質炭素体２０ａになり、またバインダー樹脂２５が結合炭素体２５ａになる。
【００２９】
本発明のように、フィルタ３に多孔質炭素成形体１００，２００を用いる場合、マクロ孔が整った連通孔であることは、球形多孔質炭素体のミクロ孔に外部の液剤が接触しやすく好ましい。
マクロ孔の大きさは一般に、球形多孔質炭素体の大きさ、すなわちその原料となる硬化樹脂粒子の大きさに依存し、直径５０ｎｍより大きいものであり、その測定は、走査電子顕微鏡等を用いた目視で行うことができる。また、ミクロ孔の孔径は、使用する樹脂の種類、炭素化処理、及び随意の賦活処理に依存し、直径２ｎｍ以下であり、その測定は、日本ベル株式会社製自動比表面積／細孔分布測定装置ＢＥＬＳＯＲＰ−ｍｉｎｉIIを用いて、ガス吸着測定（媒体：窒素）を行い、解析は、ＢＥＴ測定法により行った。
【００３０】
以下では、多孔質炭素成形体１００，２００の各構成要素について説明する。
＜球形多孔質炭素体及び硬化樹脂粒子＞
球形多孔質炭素体は、多孔質炭素成形体に存在する複数の球形の多孔質炭素体である。
球形多孔質炭素体は、随意の炭素質フィラーを含有していてもよい。炭素質フィラーとしては、黒鉛、カーボンブラック、活性炭、炭素繊維、カーボンナノチューブ（ＣＮＴ）、グランフェン等が挙げられる。これらは単独で用いてもよく、組み合わせて用いても良い。
球形多孔質炭素体は硬化樹脂粒子を炭素化することにより得ることができる。
【００３１】
硬化樹脂粒子は、硬化性樹脂で形成されている樹脂粒子であって、硬化反応によって不溶不融状態になった樹脂粒子である。このように硬化性樹脂としては、熱硬化性樹脂、紫外線硬化性樹脂等を用いることができる。これらは単独で用いてもよく、組み合わせて用いても良い。
【００３２】
熱硬化性樹脂としては、これに限られないが、例えばフェノール樹脂、エポキシ樹脂、フラン樹脂等が挙げられる。中でも、フェノール樹脂を使用することが好ましい。これらは単独で用いてもよく、組み合わせて用いてもよい。
硬化樹脂粒子の形状は、任意の形状であってよいが、略球形であることが好ましい。
【００３３】
硬化樹脂粒子の平均粒径は、１μｍ以上５０μｍ以下であり、より望ましくは５μｍ以上１０μｍ以下であることができる。その際の硬化樹脂粒子の平均粒径は、粒度分布測定装置〔粒子径測定器マイクロトラックＨＲＡ（日機装社製）〕にて、体積基準による平均粒子径を測定した値である。
【００３４】
＜結合炭素体及びバインダー樹脂＞
結合炭素体は、複数の球形多孔質炭素体をそれらの接点部分において互いに連結している。結合炭素体は、炭素質フィラーを含有していてもよい。炭素質フィラーとしては、球形多孔質炭素体に関して挙げた炭素質フィラーが挙げられる。
結合炭素体は、バインダー樹脂を炭素化して得ることができる。
【００３５】
バインダー樹脂としては、これに限られないが、ポリ塩化ビニル、ポリアクリロニトリル、ポリビニルアルコール、ポリ塩化ビニルーポリ酢酸ビニル共重合体、ポリアミド等の熱可塑性樹脂等が挙げられる。また、バインダー樹脂としては、硬化樹脂粒子に関して挙げた硬化性樹脂を用いることもできる。これらは単独で用いてもよく、組み合わせて用いてもよい。
尚、図３に示す多孔質炭素成形体１００にあっては、このバインダー樹脂を含有せず、水と混合して樹脂粒子分散スラリーを焼結しても良い。
【００３６】
＜多孔質炭素成形体１００，２００の製造方法＞
多孔質炭素成形体１００を製造するには、複数の硬化樹脂粒子を、それらの接点部分においてバインダー樹脂により互いに連結させて、硬化樹脂成形体を形成し、そして硬化樹脂成形体を炭素化させてマクロ孔を有する炭素骨格を形成し、そして賦活処理を行って、炭素骨格にミクロ孔を形成することを含む。
尚、図３に示す多孔質炭素成形体１００にあっては、このバインダー樹脂を含有せず、水と混合して樹脂粒子分散スラリーを焼結しても良い。
【００３７】
＜硬化樹脂成形体の形成＞
複数の硬化樹脂粒子を、それらの接点部分においてバインダー樹脂により互いに連結させて、硬化樹脂成形体を形成する。これは例えば、硬化樹脂粒子及び液状のバインダー樹脂を脱泡混練機にて混合し、そして得られた混合物を、型に流し込んで乾燥させること、又はプレス成形することによって行うことができる。
尚、図３に示す多孔質炭素成形体１００にあっては、このバインダー樹脂を含有せず、水と混合して樹脂粒子分散スラリーを型に流し込んで乾燥させること、又はプレス成形することによって行うことができる。
【００３８】
＜炭素化工程＞
上記のようにして得た硬化樹脂成形体を炭素化させて、マクロ孔を有する炭素骨格を形成する。これは例えば、窒素、アルゴン等の不活性雰囲気中で昇温し、炭素化保持温度で保持し、自然冷却することにより行うことができる。
【００３９】
昇温速度としては、２０℃／ｈ以上、３０℃／ｈ以上、又は４０℃／ｈ以上であることができ、また１００℃／ｈ以下、９０℃／ｈ以下、又は８０℃／ｈ以下であることができる。
炭素化保持温度としては、７００℃以上、７５０℃以上、又は８００℃以上であることができ、また１２００℃以下、１１５０℃以下、又は１１００℃以下であることができる。
なお、炭素化の前に、硬化樹脂成形体を熱処理する随意の炭素化前熱処理工程を行うこともできる。この炭素化前熱処理としては、エアオーブンによる処理等が挙げられる。
【００４０】
＜賦活工程＞
また、随意に、硬化樹脂成形体を炭素化させた後で、更に賦活処理を行っても良い。
この賦活処理は、多孔質炭素成形体のミクロ孔を形成するために好ましいことがある。具体的には、賦活処理は、水蒸気、二酸化炭素、酸素、又はオゾン等の酸化雰囲気中で賦活温度に加熱することにより行うことができる。
これにより、ガスによる炭素の酸化反応により炭素化物の表面を侵食させて炭素化物の微細構造をより発達させ、その結果ミクロ孔の形成を促進するものである。
【００４１】
賦活温度は、６００℃以上、７００℃以上、又は８００℃以上であることができ、また１２００℃以下、１１００℃以下、又は１０００℃以下であることができる。
なお、炭素化及び賦活処理のために、薬品賦活法を採用することもできる。薬品賦活法は、成形した硬化樹脂成形体に化学薬品を加え、次いで窒素、アルゴン等の不活性雰囲気中で加熱して炭素化及び賦活を同時に行うものである。
【００４２】
この化学薬品としては、塩化亜鉛、リン酸、リン酸アルカリ金属塩、硫酸アルカリ金属塩、硫化カリウム、水酸化カリウム、水酸化ナトリウム等の脱水作用を有する薬品を使用することができる。
【００４３】
続いて、多孔質炭素成形体１００，２００について、実施例を用いて、より具体的に説明する。
＜実施例１＞
硬化処理が完了している硬化樹脂粒子としての球状フェノール樹脂粉末（ＢＥＡＰＳ−Ｐ８、旭有機材工業（株）製）１００ｇと、５％ポリビニルアルコール水溶液２００ｇとを、脱泡混練機にて混合・脱泡して、球状樹脂粒子分散スラリーを得た。この球状樹脂粒子分散スラリーを、フッ素樹脂含浸ガラスクロスシート上に設置した縦横１５０ｍｍで深さ１ｍｍの流込成形型の中に流し込み、乾燥させて、シート状の硬化樹脂成形体を得た。
【００４４】
このシート状成形物を１８０℃のエアオーブン中で２時間処理し、炭素前駆体とした。その後、この炭素前駆体を、窒素ガス中で２０℃／ｈの昇温速度で昇温し、８００℃で３時間保持し自然冷却して、炭素化を完了した。その後、二酸化炭素雰囲気中で８５０℃で１５時間保持した後、自然冷却して、賦活処理を行った。
【００４５】
このようにして得られた多孔質炭素成形体１００は、図５に示すように、平均粒径５μｍの球形多孔質炭素体が点連結構造をとった連続気孔多孔体で、その気孔率（気孔を含む全体の体積及び質量、並びに炭素の密度１．６ｇ／ｃｍ３から計算される気孔率）は、６２％であった。
また、多孔質炭素成形体は、厚み約２５０μｍ、密度０．５７ｇ／ｃｍ３、窒素吸着法で測定したＢＥＴ比表面積１４４７ｍ２／ｇ、であった。
【００４６】
２ｇの水溶液にＤＭＳＯを含ませた１０％濃度の点滴液とし、点滴液中に多孔質炭素成形体１００を０．３ｇ含浸し、含浸後の濃度を測定したところ、ＤＭＳＯの濃度は５．７％であった。
本発明にかかる点滴装置に、このような多孔質炭素成形体１００を用いることにより、ＤＭＳＯをより吸着でき、濾過(除去)できることが認められた。
【００４７】
＜実施例２＞
熱可塑性樹脂粒子としての球状塩化ビニル粉末１００ｇと水とを脱泡混練機にて混合・脱泡して球状樹脂粒子分散スラリーを得た。このスラリーを用いたことを除いて実施例と同様にして、成形、炭素化及び賦活を行って多孔質炭素成形体を得た。
このようにして得られた多孔質炭素成形体は、樹脂同士が溶融して連結した連続気孔多孔体であった。
このようにして得られた連続気孔多孔体は、平均粒径６０μｍの球形多孔質炭素体が点連結構造をとった連続気孔多孔体で、その気孔率（気孔を含む全体の体積及び質量、並びに炭素の密度１．６ｇ／ｃｍ３から計算される気孔率）は、６２％であった。
また、多孔質炭素成形体は、厚み約２５０μｍ、密度０．５７ｇ／ｃｍ３、窒素吸着法で測定したＢＥＴ比表面積  １１４５ｍ２／ｇであった。
【００４８】
２ｇの水溶液にＤＭＳＯを含ませた１０％濃度の点滴液とし、点滴液中に多孔質炭素成形体２００を０．３ｇ含浸し、含浸後の濃度を測定したところ、ＤＭＳＯの濃度は７．８％であった。
【００４９】
以上述べたように、前記多孔質炭素成形体２００は、全炭素質の多孔質体であるとともに、気孔径の制御が可能である点で優れている。さらに、ＤＭＳＯを吸着する効果がある。
【００５０】
（第２の実施形態）
次に、本発明にかかる第２の実施形態について、図６、図７に基づいて説明する。尚、第１の実施形態に係る点滴装置と同じ部分については、同一の符号を付し、その詳細な説明は省略する。
【００５１】
図６（ａ），（ｂ）および図７に示すように、第２の実施形態に係る点滴装置１は、点滴筒本体２ａの上部に、多孔質炭素成形体３を収容するフィルタ室３０が、前記点滴筒本体２ａと一体に設けられる点に特徴を有する。
【００５２】
前記フィルタ室３０は有底円筒状の筒体３１と蓋体３２とにより構成され、前記フィルタ室３０の底部外縁部が点滴筒本体２ａの上部開口部と嵌合し、一体化している。
また、前記フィルタ室３０の内部に、円柱状のフィルタ３（多孔質炭素成形体１００，２００）が収容されている、  
【００５３】
前記蓋体３２は、上側に突出した円筒状の突出部（上側突起部）３２ａを備えている。前記上側突起部３２ａの内部には、液剤が流下する流路３２ｂが形成されている。前記上側突出部３２ａの上端部に液剤流入口３２ｃが形成されている。そして、前記上側突出部３２ａの上端部には上流側チューブ４が連結されている。
【００５４】
前記筒体３１は、下側に突出した円筒状の突出部（下側突起部）３１ａを備えている。前記下側突起部３１ａの内部には、液剤が流下する流路３１ｂが形成されている。前記下側突出部３１ａの下端部に、点滴筒本体２ａの内部に液剤を導入する液剤導入口３１ｃが形成されている。
【００５５】
上記した点滴装置１にあっては、上流側チューブ４と下流側チューブ５とが、フィルタ３（多孔質炭素成形体１００，２００）を収容した前記フィルタ室３０、点滴筒２を介して連通している。
即ち、液剤の流下経路中に、フィルタ３（多孔質炭素成形体１００，２００）を収容した前記フィルタ室３０が設けられているため、液剤は多孔質炭素成形体１００，２００と接触し、濾過された後、下流側チューブ５に流れる。
その結果、多孔質炭素成形体１００によって、液剤に含まれるＤＭＳＯは吸着されるため、体内へのＤＭＳＯの進入を抑制することができ、点滴をより安全に行うことができる。
また、この点滴装置１によれば、点滴筒２を構成する点滴筒本体２ａおよびフィルタ室３０が、一体的に設けられているため、省スペースかつ取り回し（作業性）が良い。
【００５６】
（第３の実施形態）
次に、本発明にかかる点滴装置の第３の実施形態を、図８及び図９に基づいて説明する。尚、第１および第２の実施形態に係る点滴装置と各部材と同一、または相当する部材については、同一の符号を付し、その詳細な説明は省略する。
第３の実施形態に係る点滴装置１は、図８（ａ），（ｂ）および図９に示すように、点滴筒本体２ａの上部に、複数のフィルタ室４０が設けられている点に特徴を有する。
【００５７】
前記フィルタ室４０は、複数の有底円筒状の筒体４１を有し、前記筒体４１が重ねられた構成を有する。また最上段のフィルタ室４０には、蓋体４２が設けられている。
前記蓋体４２は、上側に突出した円筒状の突出部（上側突起部）４２ａを備えている。前記上側突起部４２ａの内部には、液剤が流下する流路４２ｂが形成されている。前記上側突出部４２ａの上端部に液剤流入口４２ｃが形成されている。そして、前記上側突出部４２ａの上端部には上流側チューブ４が連結されている。
【００５８】
また、前記筒体４１の底部の中心付近には、下側に配置された筒体４１と連通する連通穴４１ａが形成されている。そして、最下段に位置する前記筒体４１には、下側に突出した円筒状の突出部（下側突起部）４１ｂを備えている。前記下側突起部４１ｂの内部には、液剤が流下する流路４１ｂが形成されている。前記下側突出部４１ｂの下端部に、点滴筒本体２ａの内部に液剤を導入する液剤導入口４１ｃが形成されている。
また、前記フィルタ室４０の内部に、円柱状のフィルタ３（多孔質炭素成形体１００，２００）が収容されている。
このように、前記フィルタ室４０が液剤の流れる方向に沿って複数重ねられ、各フィルタ室４０に円柱状のフィルタ３（多孔質炭素成形体１００，２００）が収容さている。
【００５９】
上記した点滴装置１によれば、フィルタ室４０が複数重ねられているため、フィルタ室数を調整することで、液剤の濾過頻度を調節できる。
また、各フィルタ室４０のそれぞれに設けられた多孔質炭素成形体３の目を徐々に細かくすることにより、効率の良いフィルタリングをすることもできる。
尚、前記複数の多孔質炭素成形体１００，２００を用いる場合には、より効率的に濾過を行うため、点滴筒２により近い多孔質炭素成形体１００，２００の気孔径及び気孔率が、点滴筒２から離れた多孔質炭素成形体１００，２００の気孔径及び気孔率よりも小さいことが望ましい。
【００６０】
（第４の実施形態）
次に、本発明にかかる点滴装置の第４の実施形態を図１０に基づいて説明する。
図１０（ａ），（ｂ）に示すように、第４の実施形態に係る点滴装置１は、第２の実施形態と異なり、点滴筒２とフィルタ部６０とを別体に設け、前記点滴筒２とフィルタ部６０とを、中継チューブ５０によって接続した点に特徴がある。
【００６１】
この点滴装置１によれば、点滴筒２およびフィルタ部６０が、別々に設けられているため、フィルタ部６０の配置の自由度が増す。即ち、点滴経路が複数ある場合には、フィルタ部６０を選択的に設ける（必要な点滴経路のみにフィルタ部６０を配置する）ことが可能となる。
【００６２】
（第５の実施形態）
更に、本発明にかかる点滴装置１の第５の実施形態を、図１１に基づいて説明する。
図１１（ａ），（ｂ）に示すように、第５の実施形態に係る点滴装置１は、図１１（ａ），（ｂ）に示すように、点滴筒２とフィルタ部７０とを別体に設け、前記点滴筒２とフィルタ部７０とを中継チューブ５０によって接続した点（第４の実施形態参照）と、前記フィルタ部７０（フィルタ室）が複数重ねられていること（第３の実施形態参照）の両方の特徴を有するものである。
【００６３】
この点滴装置１によれば、前記した第３の実施形態および第４の実施形態において説明した両方の効果を得ることができる。
【符号の説明】
【００６４】
１        点滴装置
２        点滴筒
２ａ      点滴筒本体
２ｂ      蓋体
２ｂ１    上側突出部
２ｂ２    下側突出部
２ｂ３    流路
２ｂ４    液剤流入口
２ｂ５    液剤導入口
３        フィルタ
４        上流側チューブ
５        下流側チューブ
１０      樹脂粒子
２０      硬化樹脂粒子
２０ａ    球形多孔質炭素体
２２      接点部分
２５      バインダー樹脂
２５ａ    結合炭素体
３０      フィルタ室
３１      筒体
３２      蓋体
４０      フィルタ室
４１      筒体
４２      蓋体
５０      中継チューブ
６０      フィルタ部
７０      フィルタ部
１００    多孔質炭素成形体
２００    多孔質炭素成形体
【図１】
2018015384.tif 000003
【図２】
2018015384.tif 000004
【図３】
2018015384.tif 000005
【図４】
2018015384.tif 000006
【図５】
2018015384.tif 000007
【図６】
2018015384.tif 000008
【図７】
2018015384.tif 000009
【図８】
2018015384.tif 000010
【図９】
2018015384.tif 000011
【図１０】
2018015384.tif 000012
【図１１】
2018015384.tif 000013